【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
遊技媒体を投入する投入口と、
前記投入口から投入された遊技媒体を検出する遊技媒体検出手段と、を備え、
前記遊技媒体検出手段は、
前記遊技媒体が通過する通路となる遊技媒体通過部と、
前記通路を通過する物体である通過物体を撮像する撮像手段と、
前記撮像手段を介して得られた画像データに基づいた画像処理を行うことにより、前記遊技媒体が正規のものであるか否かを判定する遊技媒体判定手段と、を含み、
前記遊技媒体判定手段は、
前記画像データに基づいて、前記遊技媒体の特徴を示す特徴画像を生成する特徴画像生成手段と、
前記特徴画像に基づいて、前記画像データに含まれる遊技媒体の画像に対応する遊技媒体が正規のものであるか否かを判定する判定手段と、を備え、
前記特徴画像生成手段は、
前記画像データに基づいて、前記遊技媒体の画像が含まれる媒体画像を生成し、
前記媒体画像を回転して合成した回転合成画像の少なくとも一部を、前記特徴画像として生成することを特徴とする遊技機。
【請求項２】
前記遊技媒体判定手段は、
前記画像データを色空間に対応する第１色空間画像データに変換し、前記第１色空間画像データの輝度に係るデータに基づいて前記遊技媒体をカウントするカウント手段と、
前記画像データを色空間に対応する第２色空間画像データに変換し、前記第２色空間画像データの色相と彩度に係るデータに基づいて前記遊技媒体の色を判定する色判定手段と、
前記遊技媒体判定手段の外部に出力する出力手段と、を更に備え、
前記判定手段、前記カウント手段、及び前記色判定手段のそれぞれは、処理結果を前記出力手段を介して前記遊技媒体判定手段の外部に出力することを特徴とする請求項１に記載の遊技機。
【請求項３】
遊技媒体が通過する通路となる遊技媒体通過部と、
前記通路を通過する物体である通過物体を撮像する撮像手段と、
前記撮像手段を介して得られた画像データに基づいた画像処理を行うことにより、前記遊技媒体が正規のものであるか否かを判定する遊技媒体判定手段と、を含み、
前記遊技媒体判定手段は、
前記画像データに基づいて、前記遊技媒体の特徴を示す特徴画像を生成する特徴画像生成手段と、
前記特徴画像に基づいて、前記画像データに含まれる遊技媒体の画像に対応する遊技媒体が正規のものであるか否かを判定する判定手段と、を備え、
前記特徴画像生成手段は、
前記画像データに基づいて、前記遊技媒体の画像が含まれる媒体画像を生成し、
前記媒体画像を回転して合成した回転合成画像の少なくとも一部を、前記特徴画像として生成することを特徴とする遊技媒体判別装置。
【手続補正２】
【補正対象書類名】明細書
【補正対象項目名】００１４
【補正方法】変更
【補正の内容】
【００１４】
上記目的を達成するために、本発明の第１実施態様は、以下のような構成の遊技機を提供する。
遊技媒体（例えば、メダル４１０）を投入する投入口（例えば、メダル投入口２１）と、
前記投入口から投入された遊技媒体を検出する遊技媒体検出手段（例えば、カメラユニット４０９を含むメダルセレクタ４０１）と、を備える遊技機であって、
前記遊技媒体検出手段は、
前記遊技媒体が通過する通路となる遊技媒体通過部（例えば、メダルレール４１１）と、
前記通路を通過する物体である通過物体を撮像する撮像手段（例えば、カメラユニット４０９に含まれるＣＭＯＳイメージセンサ等からなる手段）と、
前記撮像手段を介して得られた画像データ（例えば、撮像画像４６２Ｂ）に基づいた画像処理を行うことにより、前記遊技媒体が正規のものであるか否かを判定する遊技媒体判定手段（例えば、カメラユニット４０９に含まれる制御ＬＳＩ）と、を含み、
前記遊技媒体判定手段は、
前記画像データに基づいて、前記遊技媒体の特徴を示す特徴画像（例えば、３６２Ｃ）を生成する特徴画像生成手段（例えば、特徴画像生成部３６４）と、
前記特徴画像に基づいて、前記画像データに含まれる遊技媒体の画像に対応する遊技媒体が正規のものであるか否かを判定する判定手段（例えば、判定部３６５）と、を備え、
前記特徴画像生成手段は、
前記画像データに基づいて、前記遊技媒体の画像が含まれる媒体画像（例えば、第１画像３７４）を生成し、
前記媒体画像を回転して合成した回転合成画像の少なくとも一部を、前記特徴画像として生成するように構成される。
【手続補正３】
【補正対象書類名】明細書
【補正対象項目名】００１５
【補正方法】変更
【補正の内容】
【００１５】
本発明のこのような構成によって、撮像手段を介して得られた画像データ（例えば、カラー画像からグレースケール画像に変換された画像データ）に基づいて、媒体画像が生成され、その媒体画像を回転し合成することによって特徴画像が生成され、このような特徴画像により、撮像手段で撮像されたメダルが正規のものであるか否かを判定することができる。
【手続補正４】
【補正対象書類名】明細書
【補正対象項目名】００１６
【補正方法】変更
【補正の内容】
【００１６】
また、本発明の第２実施態様は、第１実施態様において以下のような構成の遊技機を提供する。
前記遊技媒体判定手段は、
前記画像データを色空間に対応する第１色空間画像データ（例えば、ＩＳＰ回路２４５により変換されるＹＵＶ画像データ）に変換し、前記第１色空間画像データの輝度に係るデータに基づいて前記遊技媒体をカウントするカウント手段（例えば、メダルカウント回路２４６）と、
前記画像データを色空間に対応する第２色空間画像データ（例えば、ＩＳＰ回路２４５により変換されるＨＳＶ画像データ）に変換し、前記第２色空間画像データの色相と彩度に係るデータに基づいて前記遊技媒体の色を判定する色判定手段（例えば、カラー認識回路２４７）と、
前記遊技媒体判定手段の外部に出力する出力手段（例えば、入出力部３６６）と、を更に備え、
前記判定手段、前記カウント手段、及び前記色判定手段のそれぞれは、処理結果を前記出力手段を介して前記遊技媒体判定手段の外部に出力するように構成される。
【手続補正５】
【補正対象書類名】明細書
【補正対象項目名】００１７
【補正方法】変更
【補正の内容】
【００１７】
また、本発明の第３実施態様は、以下のような構成の遊技媒体判別装置を提供する。
遊技媒体が通過する通路となる遊技媒体通過部と、
前記通路を通過する物体である通過物体を撮像する撮像手段と、
前記撮像手段を介して得られた画像データに基づいた画像処理を行うことにより、前記遊技媒体が正規のものであるか否かを判定する遊技媒体判定手段と、を含む遊技媒体判別装置であって、
前記遊技媒体判定手段は、
前記画像データに基づいて、前記遊技媒体の特徴を示す特徴画像を生成する特徴画像生成手段と、
前記特徴画像に基づいて、前記画像データに含まれる遊技媒体の画像に対応する遊技媒体が正規のものであるか否かを判定する判定手段と、を備え、
前記特徴画像生成手段は、
前記画像データに基づいて、前記遊技媒体の画像が含まれる媒体画像を生成し、
前記媒体画像を回転して合成した回転合成画像の少なくとも一部を、前記特徴画像として生成するように構成される。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
本発明のこのような構成によって、撮像手段を介して得られた画像データ（例えば、カラー画像からグレースケール画像に変換された画像データ）に基づいて、媒体画像が生成され、その媒体画像を回転し合成することによって特徴画像が生成され、このような特徴画像により、撮像手段で撮像されたメダルが正規のものであるか否かを判定することができる。